(57)【特許請求の範囲】
【請求項１】
二つ割型のケース（１）側壁に長孔（２）を設けるほか、長孔（２）の内方に電機部品（３）をその受動部（４）が長孔（２）に対向するように設けると共に、これに対し長孔（２）には電機部品（３）の操作用レバー（６）を貫通して長孔（２）から突出する先端の摘み（７）を指頭により長孔（２）に沿う側方へスライドさせることができるように設けたまま、操作用レバー（６）における駆動部（８）を電機部品（３）の受動部（４）に係合し、操作用レバー（６）を長孔（２）に沿う側方へスライドさせることにより、電機部品（３）を調節または切り換えるようにした型式のスライド装置であって、
前記長孔（２）に近いケース（１）の内方には、長孔（２）よりもスライド方向に長いガイド兼用の板状の碍壁（９）をそのレバー支承用端縁（１０）が前記長孔（２）と平行状態のもとに二つ割型のケース（１）の一方（１ａ）の底壁に該長孔（２）の上辺に重複する高さ位置にまで延びるように立設すると共に、前記碍壁（９）のスライド方向両端を前記二つ割型のケース（１）の一方（１ａ）の側壁に連接して平面視コ字状とし、
操作用レバー（６）には、レバー支承用端縁（１０）に跨ったままスライドすることができる逆Ｕ字状または几字状の屈曲部（１１）を形成し、
さらに、ケース（１）の前記碍壁（９）よりも内方には、該碍壁（９）よりもスライド方向に長い第２碍壁（１２）を前記長孔（２）と平行状態のもとに二つ割型のケース（１）の他方（１ｂ）の底壁に該碍壁（９）の上辺に重複する高さ位置にまで延びるように立設すると共に、前記第２碍壁（１２）のスライド方向両端を前記二つ割型のケース（１）の他方（１ｂ）の側壁に連接して平面視コ字状としたことを特徴とする電機部品操作用レバーのスライド装置。
【請求項２】
碍壁（９）と操作用レバー（６）における屈曲部（１１）の内面との何れか一方にスライド方向に延びるほぼ半円筒状の突起（１３）を設けた請求項１に記載の電機部品操作用レバーのスライド装置。
【請求項３】
操作用レバー（６）における屈曲部（１１）の内面にほぼ半球状の突起（１３）を設けた請求項１に記載の電機部品操作用レバーのスライド装置。
【発明の詳細な説明】
【０００１】
【発明の属する技術分野】
本発明は、電機装置に付設するスライド型電機部品の操作用レバーのスライド装置に関するものであって、詳しくは電話機あるいは音響機器等に付設するスライド型のスイッチまたは可変抵抗器における操作用レバーを横方向へスライドさせる装置に関するものである。
【０００２】
【従来の技術】
電話機におけるスライド型スイッチの操作用レバーのスライド装置は、例えば図５および図６のように、ケースＡにスライド方向の長孔Ｂを穿設するほか、この長孔Ｂに貫通する状態に操作用レバーＣを設けて、長孔Ｂから突出する先端の摘みＤを指頭により長孔Ｂに沿う側方へスライドさせることができるようにしたまま、操作用レバーＣにおける内端の駆動部Ｅを可変抵抗器等の電機部品Ｆの受動部Ｇに係合させ、かつ操作用レバーＣにおける先端付近には、長孔Ｂからの防塵並びに静電気対策のため、長孔Ｂを閉塞する鍔状の障壁ＨをケースＡの内面に接触する程度に接近して設けている。
【０００３】
【発明が解決しようとする課題】
前記従来構造によれば、ストロークの２倍程度に長い大型障壁Ｈを操作用レバーＣに設ける必要があり、また摺擦面積が大きい関係上、円滑な摺動を得るために摺擦面に潤滑材を塗布し、あるいは摺擦面を鏡面仕上げする等、格別な方策を講じる必要があった。
【０００４】
そこで本発明の目的は、障壁を付設しない簡単な構成の小型操作用レバーを使用するにも拘らず、有効な防塵効果並びに静電気耐圧を向上したスライド装置を提供することにあり、更に他の目的は操作用レバーを軽快かつ円滑にスライドさせるようにしたスライド装置を安価に提供することにある。
【０００５】
【課題を解決するための手段】
本発明は上記目的を達成するため、操作用レバーがスライドする長孔に近い内方に長孔よりもスライド方向に長いガイド兼用の板状の碍壁をそのレバー支承用端縁が前記長孔と平行となる状態のもとに二つ割型のケースの一方の底壁に該長孔の上辺に重複する高さ位置にまで延びるように設けると共に、前記碍壁のスライド方向両端を前記二つ割型のケースの一方の側壁に連接して平面視コ字状とし、これに対して操作用レバーには、碍壁におけるレバー支承用端縁に跨ったままスライドすることができる逆Ｕ字状または几字状の屈曲部を形成し、さらに、ケースの前記碍壁よりも内方には、該碍壁よりもスライド方向に長い第２碍壁を前記長孔と平行状態のもとに二つ割型のケースの他方の底壁に該碍壁の上辺に重複する高さ位置にまで延びるように立設すると共に、前記第２碍壁のスライド方向両端を前記二つ割型のケースの他方の側壁に連接して平面視コ字状としたことを主要特徴としている。
【０００６】
なお、碍壁と操作用レバーとの摺擦面には、何れか一方にほぼ半円筒状の突起をその先端と対応面とが線接触のもとにスライドするように対接させ、あるいは碍壁と摺擦する操作用レバーの屈曲部の内面にほぼ半球状の突起をその先端と対応面とが点接触のもとにスライドするように対接させる等、非面接触状態に対接したままスライドさせるようにする。
【０００７】
上記構成により、外部から長孔を経てケース内の制御用半導体集積回路に対する静電気の放電が板状の碍壁およびこの碍壁，操作用レバーの屈曲部等により形成されるラビリンス状沿面により防止され、半導体集積回路が電撃から防護される。
【０００８】
碍壁における直線状のレバー支承用端縁は操作用レバーを案内し、しかもそれらの何れかに形成した突起により軽快なスライド操作が可能となる。
【０００９】
【発明の実施の形態】
以下、本発明の実施形態を図面について詳細に説明する。
【００１０】
図示の実施形態は、本発明を電話機のスライド式可変抵抗器に適用した形態であって、適用対象とする電話機としては、例えば図示のように、下ケース１ａと上ケース１ｂとからなる二つ割型のプラスチック製ケース１における下ケース１ａの側壁端縁を切り欠いて長孔２を設けるほか、長孔２の内方に電機部品３としてのスライド式可変抵抗器をその受動部４が長孔２に対向するようにプリント基板５に固設すると共に、プリント基板５には半導体集積回路等（図示せず）の他の電子部品を実装し、これに対し前記長孔２には電機部品３の操作用レバー６を貫通して長孔２から突出する先端の摘み７を指頭により長孔２に沿う側方へスライドさせることができるように設けたまま、操作用レバー６における内端の駆動部８を電機部品３の受動部４に係合し、もって操作用レバー６の摘み７を必要に応じて指頭により長孔２に沿う側方へスライドさせることにより、電機部品３を調節あるいは切り換えるようにした型式を採択する。
【００１１】
上記型式に対する本発明の構成としては、前記長孔２に近い内方に長孔２よりも大きいガイド兼用の板状の碍壁９をその上向きに形成されたレバー支承用端縁１０が前記長孔２と平行となる状態のもとに下ケース１ａの底壁に一体的に立設すると共に、これに対して操作用レバー６には、レバー支承用端縁１０に跨ったままスライドすることができる逆Ｕ字状または几字状の屈曲部１１を形成し、かつ前記碍壁９に近い更に内方に碍壁９とは互い違いとなる下向きに板状の第２碍壁１２をレバー支承用端縁１０の屈曲部１１の背面に接近する状態のもとに上ケース１ｂに一体に設ける。
【００１２】
なお、前記碍壁９と操作用レバー６の屈曲部１１との摺擦面には、図１，図２または図３のように、何れか一方にスライド方向にほぼ半円筒状の突起１３を設けて線接触のもとにスライドするようにし、あるいは図４のように操作用レバー６における屈曲部１１の内面にほぼ半球状の複数対の突起１３を設けて点接触のもとにスライドするようにし、これによりスライド操作時の摩擦抵抗を軽減するのが望ましく、なお碍壁９の端縁および第２碍壁１２の端縁は、これをほぼ半円筒状に形成してこの部分においても摩擦抵抗を軽減するのがよい。
【００１３】
碍壁９の端縁と長孔２の端縁とはこれを図１に符号ｈにより示すように適度に重複させるのであるが、碍壁９の両端を図２のようにケース１ａの側壁に連接するようにコ字状に形成して障碍効果を向上し、また第２碍壁１２についても、その端縁の両端を図２のようにケース１ｂの側壁に連接するように前記ケース１ａにおけるよりも一回り大きいコ字状に形成して二重の障碍効果を発揮させるのが望ましい。
【００１４】
【発明の効果】
以上説明したように本発明によれば、次のような諸効果が得られる。
【００１５】
ａ．逆Ｕ字状あるいは几字状の屈曲部１１がある操作用レバー６を板状の碍壁９における端縁に跨る状態のまま案内させて側方へスライドさせるようにしたから、これにより少ない摺擦面積のもとに軽快にスライド操作することができるほか、操作用レバー６の屈曲部１１と碍壁９とによるラビリンス状沿面の形成により、長孔２から内部の電子部品への静電気耐圧を著しく増加することができ、従って静電気の放電現象による電撃が防止され、半導体集積回路等の損傷，破壊を確実に防止することができる。
【００１６】
ｂ．屈曲部１１がある操作用レバー６をその屈曲部１１において板状の碍壁９における端縁に跨る状態のまま案内させてスライドさせるようにしたから、スライド機能と静電気耐圧増加機能との両者を簡単な単一の構造のもとに容易に達成することができる。
【００１７】
ｃ．長孔２よりも大きい碍壁９と、碍壁９の内方に第２碍壁１２とを設けたから、これにより二重碍壁のもとに一層確実に静電気の放電現象による電撃が防止される。
【００１８】
ｄ．操作用レバー６の屈曲部１１と碍壁９との摺擦面にほぼ半円筒状またはほぼ半球状の突起１３を設けたから、これにより摺擦部分に潤滑材を塗布し、あるいは摺擦部分を鏡面仕上げする等の方策を講じることなく、簡単な構造のもとに軽快にスライド操作することができる。
【図面の簡単な説明】
【図１】本発明の１実施形態を示すスライド装置の縦断側面図である。
【図２】図１の装置の上ケースを離開して示す斜面図である。
【図３】他の実施形態の要部だけの縦断側面図である。
【図４】更に他の実施形態の操作用レバーだけの縦断側面図である。
【図５】従来のスライド装置を例示する縦断側面図である。
【図６】図５の装置のケース上半部を取り除いて示す斜面図である。
【符号の説明】
１  ケース
２  長孔
３  電機部品
４  受動部
６  操作用レバー
７  摘み
８  駆動部
９  碍壁
１０  レバー支承用端縁
１１  屈曲部
１２  第２碍壁
１３  突起
【図１】
0003843148.tif 000002
【図２】
0003843148.tif 000003
【図３】
0003843148.tif 000004
【図４】
0003843148.tif 000005
【図５】
0003843148.tif 000006
【図６】
0003843148.tif 000007